【事件の表示】
　特許第２９６３６６１号「田植機の植付装置」の特許に対する特許異議の申立てについて、次のとおり決定する。
【結　論】
　訂正を認める。
　特許第２９６３６６１号の特許請求の範囲第１項に記載された発明についての特許を維持する。
【理　由】
一、手続の経緯
　本件特許第２９６３６６１号に係る発明は、昭和６０年１月１８日に実用新案登録出願された実願昭６０−６１４６号の一部を平成６年１０月２５日に実願平６−１４３３５号として分割し、さらに平成８年８月２２日に該実用新案登録出願を特許出願に出願変更した特願平８−２４１３４０号に係り、平成１１年８月６日設定登録され、この特許に対し、特許異議申立人山本進（以下、「申立人」という。）より特許異議の申立てがなされ、当審において取消理由を通知したところ、その指定期間内の平成１２年１０月２３日に訂正請求がなされたものである。
　
二、訂正の適否についての判断
１．訂正の内容
　特許権者は、特許明細書を次のように訂正しようとするものである。
［訂正事項ａ］
　特許明細書の【特許請求の範囲】の第１項の
　「１．作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させ、苗取出し量調節レバー（３６）の基端を前記横軸体（３５）に一体連結させて、平面視で、前記苗載台（１３）傾斜下端の苗取出し板（１５）と横軸体（３５）をアーム体（３４）により四角形にそれぞれ連結させると共に前記横軸体（３５）を左右の伝動チェン部（１７ｂ）〜（１７ｆ）を一体連結する横伝動フレーム（３９）と苗取出し板（１５）との間でこれらと略平行に設けるとともに、苗取出板アーム（２５）を前記苗載台（１３）傾斜下端の苗取出し板（１５）の下方に設け、該苗取出板アーム（２５）を前記植付ケース（１７）の側部に固設し、前記苗取出し量調節レバー（３６）の先端操作部分を側面視で、前記苗載台（１３）の裏面中間部に位置させるよう構成したことを特徴とする田植機の植付装置。」
の記載を、
　「【請求項１】作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
　
［訂正事項ｂ］
　特許明細書の段落番号【０００４】の【課題を解決するための手段】の
　「然るに本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させ、苗取出し量調節レバー（３６）の基端を前記横軸体（３５）に一体連結させて、平面視で、前記苗載台（１３）傾斜下端の苗取出し板（１５）と横軸体（３５）をアーム体（３４）により四角形にそれぞれ連結させると共に前記横軸体（３５）を左右の伝動チェン部（１７ｂ）〜（１７ｆ）を一体連結する横伝動フレーム（３９）と苗取出し板（１５）との間でこれらと略平行に設けるとともに、苗取出板アーム（２５）を前記苗載台（１３）傾斜下端の苗取出し板（１５）の下方に設け、該苗取出板アーム（２５）を前記植付ケース（１７）の側部に固設し、前記苗取出し量調節レバー（３６）の先端操作部分を側面視で、前記苗載台（１３）の裏面中間部に位置させるよう構成したものである。」
の記載を
　「然るに本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
　
［訂正事項ｃ］
　特許明細書の段落番号【０００５】の
　「【作用】従って、前高後低の後傾式苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させたから、」
の記載を
　「【作用】従って、前高後低の後傾式苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
　
［訂正事項ｄ］
　特許明細書の段落番号【００１３】の
　「【発明の効果】以上実施例から明らかなように本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させたから、」の記載を
　「【発明の効果】以上実施例から明らかなように本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
　
２．訂正の目的の適否、新規事項の有無及び拡張・変更の存否
　訂正事項ａの訂正は、特許請求の範囲の減縮を目的とするものに該当する。
　訂正事項ｂ乃至ｄの訂正は、発明の詳細な説明の記載を訂正後の特許請求の範囲の記載と整合させるためのものであるから、上記訂正事項ｂ乃至ｄの訂正は、明りょうでない記載の釈明を目的とするものに該当する。
　そして、これらの訂正は、願書に添付した明細書、又は図面に記載された事項の範囲内において訂正するものであって新規事項を追加するものでなく、かつ、実質上特許請求の範囲を拡張、又は変更するものではない。
　
３．むすび
　以上のとおりであるから、上記訂正請求は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書き及び第２項の訂正に関する規定に適合するので、当該訂正を認める。
　
三、特許異議申立てについて
１．特許異議申立理由の概要
　申立人は下記の証拠方法を提示して、本件の特許請求の範囲の第１項に記載の発明（以下、「本件発明」という。）は、甲第１号証乃至甲第７号証に記載された発明に基いて当業者が容易に発明をすることができたものであるから、本件の特許請求の範囲の第１項に記載された発明の特許は、特許法第２９条第２項の規定に違背してなされたものであり、本件特許は取り消されるべきである、と主張している。
　　　　　　　　　　　　　　　　　記
［甲第１号証］：実願昭５８−９０７０１号（実開昭５９−１９６０１０号公報）の願書に添付した明細書及び図面の内容を撮影したマイクロフィルム
［甲第２号証］：実願昭５８−１２２９７８号（実開昭５９−１５０２１１号公報）の願書に添付した明細書及び図面の内容を撮影したマイクロフィルム
［甲第３号証］：実願昭５５−５６０３号（実開昭５６−１０８４２２号公報）の願書に添付した明細書及び図面の内容を撮影したマイクロフィルム
［甲第４号証］：実願昭４８−１３４８５３号（実開昭５０−７７３３３号公報）の願書に添付した明細書及び図面の内容を撮影したマイクロフィルム
［甲第５号証］：別役萬愛編「ＭＥＣＨＡＮＩＳＭ」昭和４７年３月１日、株式会社技報堂発行、２０６頁及び２０７頁
［甲第６号証］：特開昭５７−１６６１０号公報
［甲第６号証の２］：実願昭５０−１４６８２８号（実開昭５２−５９６１４号公報）の願書に添付した明細書及び図面の内容を撮影したマイクロフィルム
［甲第６号証の３］：実開昭５５−１７３７５４号公報
［甲第７号証］：実願昭５７−１０３７８号（実開昭５８−１１３３２０号公報）の願書に添付した明細書及び図面の内容を撮影したマイクロフィルム
［参考資料１］：平成１１年３月２５日付け拒絶理由通知書
［参考資料２］：平成１１年６月１日受付日の意見書
［参考資料３］：実公昭５１−３４８０１号公報
　
２．当審の判断
（１）本件発明
　本件発明は、訂正明細書の特許請求の範囲の第１項に記載されたとおりの次のものである。
　「作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
　
（２）甲号各証に記載の発明
［甲第１号証］には、次の事項が記載されている。
　「第１図に示すように、植付伝動ケース（１）等からなる機体の後部で機体横方向に並列する４箇所の夫々に、駆動回動アーム（２）及び揺動リンク（３）を介して、苗植付アーム（４）を苗植付爪（５）が上下に回動作動するように揺動駆動可能に取付け、苗植付アーム（４）に各別に供給するマット状苗（６）を４列に載置しておく苗のせ台（７）を、苗植付爪（５）に対する苗供給口を形成する切欠き（８）、及び、載置苗の下端面に作用する苗受止め面（９）の有する苗のせ台摺動ガイドレール（１０）と、支柱（１１）の上端側とに左右摺動可能に取付けると共に、」（３頁１４行〜４頁４行）
　「この苗植付装置は、乗用トラク夕の後部にトラクタから伝動される状態に連結して乗用型田植機を構成するためのものである。」（４頁１８行〜２０行）
　「第１図及び第２図に示すように、前記ガイドレール（１０）の支持具（２１）に対する連結部（１０ａ）を、この長孔に摺動自在に挿通させたボルト（２２）により支持具（２１）に摺動自在に取付けて、前記連結部（１０ａ）に揺動アーム（２３）及び回転軸（２４）を介して連動させた操作レバー（２５）の揺動操作によって、ガイドレール（１０）を苗のせ台（７）に対して苗植付爪（５）の作動軌跡（Ｔ）に接近離間する方向に摺動調節できるように、かつ、前記操作レバー（２５）をレバーガイド（２６）の切欠きに挿入係止させることにより、ガイドレール（２６）を調節位置に固定できるように構成してある。」（５頁１７行〜６頁８行）
　
［甲第２号証］には、次の事項が記載されている。
　「９は苗植付部であって、該苗植付部９はアッパーリンク１０ａおよびロアリンク１０ｂからなる左右の平行リンク機構１０を介して機体の後方へ上下動自在に連結されている。」（４頁２行〜６行）
　「１３は上記苗載置台１２の下部で、横方向へ連接したシャフトケース１４に、走行機体１の進行方向に沿って、所定間隔を存して連結された４個のプランターケースであって、これら各プランターケース１３の後側には夫々左右一対の植付爪１５、１５が装着されており、これらによって第３図に示す如く８条植の苗植付部９が構成されている。」（４頁９行〜１６行）
　「２７は上記スプロケット２２と苗植付爪１５、１５の駆動スプロケット（図示せず）間に懸回した伝動チエンである。」（６頁１２行〜１４行）
　
［甲第３号証］には、次の事項が記載されている。
　「前記昇降リンク機構（５）は、前記本機（３）の固定フレーム（８）と吊下げリンク機構（７）の取付けフレーム（９）との間に亘って、一本のトップリンク（１０）と左右一対のロアーリンク（１１）、（１１）とを枢支連結するとともに、前記トップリンク（１０）の途中に固着したアーム（１２）と前記本機（３）のミッションケース（１３）との間には油圧シリンダ（１４）を介装し、以つて、前記油圧シリンダ（１４）の伸縮作動に伴うトップリンク（１０）及びロアーリンク（１１）、（１１）の上下揺動により、前記植付け装置（４）を本機）（３）に対して一定又はほぼ一定の対地姿勢のままで駆動昇降させるべく構成している。」（３頁２行〜１３行）
　「即ち、前傾姿勢の苗のせ台（１５）に対する駆動機構を内装してあるほぼユの字状の横向きケース部（１７）の、左右横方向に沿う筒状部分（１７Ａ）の長手方向３箇所から後方に前後向きケース部（１８）・・を一体延設して植付け伝動ケース（１９）を構成するとともに、前記前後向きケース部（１８）・・の後部には、前記苗のせ台（１５）の苗取出し口と泥面との間に亘って植付け爪（２０）・・を往復循環運動させる植付け機構（２１）・・を装着している。」（３頁１６行〜４頁４行）
　
［甲第４号証］には、次の事項が記載されている。
　「苗受板（５）（５）に固着したアーム（１３）（１３）の端部を支軸（６）に嵌合固着し、」（４頁１行〜２行）
　「また、第６図および第７図は他の実施例を示し、植付ケース（１０）の上部に有段係合部（１８）を設け、該有段係合部（１８）にそれぞれ係脱操作ができる調節体（７ａ）の一端を支軸（６）に固着して構成するものである。」（４頁１４行〜５頁３行）
　
［甲第５号証］には、その第２０７頁の図２〜図１０に、軸を上面（上向き）に形成した軸受けの凹溝部に支承させる軸受手段、が示されている。
　
［甲第６号証］には、次の事項が記載されている。
　「第３図および第４図において、フロートアーム１８の中央部に固設された支柱１９の上部には軸２１が固着されていて、これを植付作業機３の本体３ａに形成された凹部に嵌込んで止め輪２２で保持することによってフロートアーム１８は本体３ａに接続されている。」（２頁右上欄１１行〜１６行）
　「なお植付作業機３の本体３ａには複数個の植付部３５が配設されている。」（２頁左下欄１６行〜１７行）
　「硬盤の凹凸によって走行車１が前後方向に揺動してセンターフロート１６の先端部１６ａの迎え角が変化すると、これと同様にセンターフロート１６が軸２１の周りに回動して水平保持バルブ３４が第６図に示す中立位置から左右いずれかの位置３４ａ，３４ｂに切換る。」（２頁左下欄１８行〜同右下欄３行）
　
［甲第６号証の２］には、植付け部伝動ケース４の左右下側にフロートを支持する左右に延設された横長棒状部材３を支承するための部材嵌合用凹入部５ａを形成した構造、が示されている。
　
［甲第６号証の３］には、第１図乃至第３図に示されたチェンケース１３からみて、チェンケース１３の正面にフロートを支持するリンクの支持軸を支承する凹溝部を形成した構造、が示されている。
　
［甲第７号証］には、次の事項が記載されている。
　「１はホイル型トラクタの機体であって、前部にエンジン２、中間部に運転部３、後部に運転席４を備えており、前記機体１の後部にはトップリンク５とロアリンク６，６とにより植付装置７が昇降可能に装着してあり、機体１に取付けた油圧シリンダーにより昇降する。」（３頁１１〜１６行）
　「そして、左端のリンクアーム１４には操作レバー２０の基部が固定してあり、その先端は第１図に示す如く前記運転席４を指向しており、植付装置を鎖線で示すように上昇させると、運転者の手がとどくようになっているので、苗載台１０内のマット苗の掻取量を調節する時、運転席４に着席した運転者が前記操作レバー２０を左右に回動すると・・・（中略）・・・エプロン１１は苗載台１０の下面に沿って上下動し、プランター９・・による掻取量が調整される。」（４頁１２行〜５頁４行）
　
　［参考資料１］には、平成１０年審判第１０８３号（平成８年特許願第２４１３４０号）に関する拒絶理由が記載されている。
　
　［参考資料２］には、上記参考資料１の拒絶理由に対しての、特許出願人の意見が記載されている。
　
　［参考資料３］には、折畳式農用トラクターに関して、Ｕ字形ハンドル４の横軸４ａがハンドルコラム３の突出端近傍の孔９に廻動自在に挿通支承されるＵ字形ハンドル４の固定構造が記載されている。
　
（３）判断
　本件発明と甲第１号証に記載の発明とを対比すると、甲第１号証には、本件発明の「
単一の
複数の各
　また、本件発明と甲第２号証乃至甲第７号証に記載の発明、或いは参考資料１乃至参考資料３の記載事項とを対比しても、上記甲第２号証乃至甲第７号証、或いは参考資料１乃至参考資料３には、本件発明の前記構成が記載されてなく、また示唆もない。
　そして、本件発明は、それぞれ前記構成により明細書に記載の効果を奏するものと認められる。
　そうしてみると、本件発明は、上記甲第１号証乃至甲第７号証にそれぞれ記載された発明、或いは参考資料１乃至参考資料３の記載事項であるとすることができないばかりでなく、上記甲第１号証乃至甲第７号証に記載された発明、或いは参考資料１乃至参考資料３の記載事項に基いて当業者が容易に発明をすることができたものとすることもできない。
　
３．むすび
　以上のとおりであるから、特許異議の申立ての理由によっては本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１２年１１月６日（２０００．１１．６）
【訂正の要旨】
訂正の要旨
［訂正事項ａ］
　特許明細書の【特許請求の範囲】の第１項の
　「１．作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させ、苗取出し量調節レバー（３６）の基端を前記横軸体（３５）に一体連結させて、平面視で、前記苗載台（１３）傾斜下端の苗取出し板（１５）と横軸体（３５）をアーム体（３４）により四角形にそれぞれ連結させると共に前記横軸体（３５）を左右の伝動チェン部（１７ｂ）〜（１７ｆ）を一体連結する横伝動フレーム（３９）と苗取出し板（１５）との間でこれらと略平行に設けるとともに、苗取出板アーム（２５）を前記苗載台（１３）傾斜下端の苗取出し板（１５）の下方に設け、該苗取出板アーム（２５）を前記植付ケース（１７）の側部に固設し、前記苗取出し量調節レバー（３６）の先端操作部分を側面視で、前記苗載台（１３）の裏面中間部に位置させるよう構成したことを特徴とする田植機の植付装置。」の記載を、
特許請求の範囲の減縮の目的で、
　「【請求項１】作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
［訂正事項ｂ］
　特許明細書の段落番号【０００４】の【課題を解決するための手段】の
　「然るに本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させ、苗取出し量調節レバー（３６）の基端を前記横軸体（３５）に一体連結させて、平面視で、前記苗載台（１３）傾斜下端の苗取出し板（１５）と横軸体（３５）をアーム体（３４）により四角形にそれぞれ連結させると共に前記横軸体（３５）を左右の伝動チェン部（１７ｂ）〜（１７ｆ）を一体連結する横伝動フレーム（３９）と苗取出し板（１５）との間でこれらと略平行に設けるとともに、苗取出板アーム（２５）を前記苗載台（１３）傾斜下端の苗取出し板（１５）の下方に設け、該苗取出板アーム（２５）を前記植付ケース（１７）の側部に固設し、前記苗取出し量調節レバー（３６）の先端操作部分を側面視で、前記苗載台（１３）の裏面中間部に位置させるよう構成したものである。」の記載を、
明りょうでない記載の釈明の目的で、
　「然るに本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
［訂正事項ｃ］
　特許明細書の段落番号【０００５】の
　「【作用】従って、前高後低の後傾式苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させたから、」の記載を、
明りょうでない記載の釈明の目的で、
　「【作用】従って、前高後低の後傾式苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
［訂正事項ｄ］
　特許明細書の段落番号【００１３】の
　「【発明の効果】以上実施例から明らかなように本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と前記苗載台（１３）とで形成する三角形空間部（４８）を設けると共に、該三角形空間部（４８）にて、横軸体（３５）を前記伝動チェン部（１７ｂ）〜（１７ｆ）上面に形成する凹溝部（４０ａ）〜（４０ｅ）に支承させて左右方向に架設させたから、」の記載を、
明りょうでない記載の釈明の目的で、
　「【発明の効果】以上実施例から明らかなように本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
（５４）【発明の名称】
田植機の植付装置
（５７）【特許請求の範囲】
　　【請求項１】作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
【発明の詳細な説明】
　　　【０００１】
　　【産業上の利用分野】
　本発明は左右往復移動する苗載台より一株分の苗を植付爪によって取出し順次圃場に植付けるようにした田植機の植付装置に関する。
　　　【０００２】
　　【従来の技術】
　従来、実開昭５９−９８７１７号公報に示す如く、苗載台傾斜下端の下面側に苗取出し量調節レバーなどを取付ける技術があった。
　又、実開昭５９−１９６０１０号公報や実開昭５９−４２１９号公報に示す如く、苗取出し量調節レバーの先端操作部分を側面視で、植付ケース近傍に位置させるよう構成した田植機があった。
　　　【０００３】
　　【発明が解決しようとする課題】
　前記従来技術である実開昭５９−９８７１７号公報は、田面均平用フロートを取付けるフレームに横軸体を設け、苗取出し量調節レバーを苗載台側に横軸体を介して連結させていたから、前記フレームまたは横軸体が外圧によって変形損傷し易く、また機械振動などにより前記レバーの苗取出し量調節位置が設定位置と異なり易く、前記の変形または位置ずれによって苗取出し量が変化するのを容易に防止し得ない等の機能上の問題があった。
　又、従来技術である実開昭５９−１９６０１０号公報や実開昭５９−４２１９号公報においては、苗取出し量調節レバーの先端操作部分を側面視で、植付けケース近傍に位置させるように構成していたから、作業者が搭乗する走行部から苗取出し量調節レバーの操作を容易に行うことができないといった問題があった。
　　　【０００４】
　　【課題を解決するための手段】
　然るに本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
　　　【０００５】
　　【作用】
　従って、前高後低の後傾式苗載台（１３）の傾斜下端近傍に苗の取出し量を苗取出し量調節レバー（３６）にて調節する苗縦取量調節部材（２４）を配設し、側面視で、植付ケース（１７）の縦横送り駆動部（１７ａ）及び
複数の
単一の
複数の各
　　　【０００６】
　　【実施例】
　以下本発明の一実施例を図面に基づいて詳述する。
　第１図は要部の説明図、第２図は田植機の全体側面図、第３図は同平面図を示し、図中（１）は作業者が搭乗する走行部であり、（２）はベースフレーム（３）に搭載するエンジン、（４）は前記エンジン（２）を覆うボンネット、（５）は前記ベースフレーム（３）後端に連設するミッションケース、（６）は前記ミッションケース（５）の後端左右両側に連設する車軸ケース、（７）（８）は水田走行用前後車輪、（９）は運転席、（１０）は操向ハンドル、（１１）は予備苗載台である。
　　　【０００７】
　さらに、図中（１２）は多条植え用の苗載台（１３）並びに複数の植付爪（１４）などを具備する植付部であり、前高後低の後傾式苗載台（１３）を苗取出し板（１５）及びガイドレール（１６）を介して植付ケース（１７）に左右往復摺動自在に支持させると共に、クランク運動させる植付アーム（１８）並びに植付爪駆動軸（１９）を介して植付ケース（１７）に前記植付爪（１４）を取付ける。そして前記植付ケース（１７）の下方に滑走体である植付均平用の主フロート（２０）及び左右のサイドフロート（２１）（２１）を装設し、前記走行部（１）に三点リンク機構（２２）及び油圧シリンダ（２３）を介し植付部（１２）を昇降自在に連結させ、前記前後車輪（７）（８）を略定速で駆動走行すると同時に、左右往復摺動させる苗載台（１３）から一株分の苗を植付爪（１４）によって連続的に取出して圃場に苗植え作業を行っていくように構成する。
　　　【０００８】
　第４図乃至第６図にも示す如く、前記苗載台（１３）の傾斜下端近傍に苗の取出し量を調節する苗縦取量調節部材（２４）を備え、前記植付ケース（１７）の左右両側に固設する苗取出板アーム（２５）をその上部に固設する苗受板シュー（２６）によって門型に連結し、そのシュー（２６）に、苗載台（１３）傾斜下端裏面に固設する苗載台レール（２７）を左右に摺動自在に支持させている。また前記苗縦取量調節部材（２４）は苗載台（１３）の傾斜下端で苗を支持する苗取出し板（１５）を上下調節板（２８）、調節ピン（２９）並びに長孔（３０）を介し門型に連結した前記アーム（２５）に連結支持させると共に、前記調節板（２８）に固設する係合板（３１）を切欠溝（３２）、ガイドピン（３３）、揺動アーム（３４）並びに調節軸（３５）を介して苗取出し量調節レバー（３６）に連結させて、このレバー（３６）操作でもって前記苗取出し板（１５）の上下位置の調節を行い苗の取出し量を可変させるように構成するとともに、苗取出し量調節レバー（３６）の先端操作部分を側面視で、後傾式苗載台（１３）の裏面中間部に位置させるよう構成している。なお、前記調節板（２８）と調節ピン（２９）とは一体固設させたもので、前記アーム（２５）の長孔（３０）に前記ピン（２９）を挿入させ、該ピン（２９）の突出端側にバネ（３７）を介し座金（３８）を取付けて、前記アーム（２５）にバネ（３７）圧でもって座金（３８）を圧着させることによってアーム（２５）に対する調節板（２８）の位置保持を図るように構成したものである。一方、前記植付ケース（１７）の縦横送り駆動部（１７ａ）後方に横伝動フレーム（３９）を介し五つの伝動チェン部（１７ｂ）（１７ｃ）（１７ｄ）（１７ｅ）（１７ｆ）を連設させ、左右外側の伝動チェン部（１７ｂ）（１７ｃ）と中央の伝動チェン部（１７ｄ）に各２本づつの植付爪（１４）を取付け各２条分の植付けを行うと共に、残りの伝動チェン部（１７ｅ）（１７ｆ）の内側に１本の植付爪（１４）を取付け１条分の植付けを行い計８条の植付けを行うように構成している。そして左右外側の伝動チェン部（１７ｂ）（１７ｃ）と中央の伝動チェン部（１７ｄ）を固設する左右の各アーム（２５）を介し前記苗受板シュー（２６）を門形に支持させると共に、各伝動チェン部（１７ｂ）〜（１７ｆ）の上側面に形成する凹部溝（４０ａ）（４０ｂ）（４０ｃ）（４０ｄ）（４０ｅ）に単一の前記調節軸（３５）を支承させ、該軸（３５）の取付精度を安定させるように構成している。
　　　【０００９】
　さらに第１図に示す如く、前記植付ケース（１７）の縦横送り駆動部（１７ａ）に左右移動自在に支承する横送り軸（４２）を苗載台（１３）に連結し、苗載台（１６）を左右に往復移動させると共に、面接触形の縦送り部材である上下一対の縦送りローラ（４３）（４３）を１条毎に２組設け、苗載台（１３）裏面で上下に配設する一方、前記植付ケース（１７）の縦横送り駆動部（１７ａ）に縦送り駆動軸（４４）を軸架してその両端に縦送り駆動カム（４５）を支承すると共に、苗載台（１３）の左右往復端で前記駆動カム（４５）に当接させる従動カム（４６）を前記ローラ（４３）を軸支する縦送り軸（４７）に設け、前記縦送り軸（４７）を回転させてローラ（４３）でもって苗マットを縦送り下降させるように構成している。
　　　【００１０】
　さらに、側面視で、植付ケース（１７）の伝動チェン部（１７ｂ）〜（１７ｆ）と、その後端に連設する縦横送り駆動部（１７ａ）と前高後低状に斜設する前記苗載台（１３）とで形成される三角形空間部（４８）内に、苗受板シュー（２６）によって門型に連結して左右の苗取出板アーム（２５）の門型上部を臨ませ、前記三角形空間部（４８）内で前記アーム（２５）に前記苗縦取量調節部材（２４）を支持させると共に、下側の縦送り量（４７）を前記三角形空間部（４８）の苗載台（１３）裏側に横架して、縦送り部材である下側の縦送りローラ（４３）を軸支させて、そのローラ（４３）も前記苗縦取量調節部材（２４）と同様に前記三角形空間部（４８）内に支持させ、苗載台（１３）に付設する各部材（２４）（４３）を近接させて配設するように構成している。上記から明らかなように、左右に往復動自在に苗載台（１３）を植付ケース（１７）に支持した装置において、前記植付ケース（１７）の縦横送り駆動部（１７ａ）及び伝動チェン部（１７ｂ）〜（１７ｆ）と苗載台（１３）とで形成する側面視三角形空間部（４８）で左右方向に横軸体である調節軸（３５）を横架させ、苗取出し量調節レバー（３６）の基端を前記調節軸（３５）に一体連結させ、平面視で苗載台（１３）傾斜下端の苗取出し板（１５）と調節軸（３５）をアーム体（３４）により四角形に連結させると共に、平面視で左右の伝動チェン部（１７ｂ）〜（１７ｆ）を一体連結する横伝動フレーム（３９）と苗取出し板（１５）との間でこれらと略平行に前記調節軸（３５）を設けている。
　　　【００１１】
　第７図及び第８図に示す如く、走行部（１）側と連動連結させる横送りねじ軸（４９）を前記植付ケース（１７）の縦横送り駆動部（１７ａ）に支承し、該軸（４９）のねじ溝（５０）に摺動移動させる連結杆（５１）を前記横送り軸（４２）に連結し、前記ねじ溝（５０）のネジ終端部（５０ａ）を（Ｌ）だけ膨出させ、苗載台（１３）の各条毎のリブ（１３ａ）をその移動終端で苗取出板（１５）の取出部（１５ａ）より（ｅ）だけ余分に移動させ、各植付爪（１４）による苗の取残しを防止するように構成している。
　　　【００１２】
　左右に往復動自在に苗載台（１３）を植付ケース（１７）に支持した装置において、苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び伝動チェン部（１７ｂ）〜（１７ｆ）と苗載台（１３）とで形成する三角形空間部（４８）を設けると共に、横軸体（３５）を該三角形空間部（４８）の前記伝動チェン部（１７ｂ）〜（１７ｆ）上方で左右方向に架設させ、苗取出し量調節レバー（３６）の基端を前記横軸体（３５）に一体連結させて、平面視で、苗載台（１３）傾斜下端の苗取出し板（１５）と横軸体（３５）をアーム体（３４）により四角形にそれぞれ連結させると共に前記横軸体（３５）を左右の伝動チェン部（１７ｂ）〜（１７ｆ）を一体連結する横伝動フレーム（３９）と苗取出し板（１５）との間でこれらと略平行に設けるとともに、苗取出板アーム（２５）を前記苗載台（１３）傾斜下端の苗取出し板（１５）の下方に設け、該苗取出板アーム（２５）を前記植付ケース（１７）の側部に固設するよう構成するもので、左右の苗取出板アーム（２５）を苗受板シュー（２６）によって門型に連結することによって、最も支持強度の高いアーム（２５）に苗縦取量調節部材（２４）を支持させると共に、最も安定度の高い位置、即ち苗載台（１３）傾斜下端の三角形空間部（４８）内で前記苗縦取量調節部材（２４）によって苗載台（１３）を連結させることにより、全条均一な苗縦取量の調節を行うことができる。また、縦送り部材であるローラ（４３）を植付ケース（１７）の縦横送り駆動部（１７ａ）に最も近い位置即ち前記三角形空間部（４８）内に配設することにより、駆動部（１７ａ）からローラ（４３）の連動構造を極めて簡単に形成することができる。
　　　【００１３】
　　【発明の効果】
　以上実施例から明らかなように本発明は、作業者が搭乗する走行部（１）に三点リンク機構（２２）及び油圧シリンダ（２３）を介し植付部（１２）を昇降自在に連結させ、多条植え用の苗載台（１３）並びに複数の植付爪（１４）などを具備する前記植付部（１２）に、前高後低の後傾式苗載台（１３）を苗取出し板（１５）及びガイドレール（１６）を介して植付ケース（１７）に左右往復摺動自在に支持させると共に、左右に往復動自在に前記苗載台（１３）を前記植付ケース（１７）に支持した田植機の植付装置において、前記苗載台（１３）の傾斜下端近傍に苗の取出し量を苗取出し量調節レバー（３６）にて調節する苗縦取量調節部材（２４）を配設し、側面視で、前記植付ケース（１７）の縦横送り駆動部（１７ａ）及び
複数の
単一の
複数の各
【図面の簡単な説明】
　　　【図１】
本発明の要部を示す拡大側面図
　　　【図２】
田植機の全体側面図
　　　【図３】
同平面図
　　　【図４】
植付部の拡大平面図
　　　【図５】
同側面図
　　　【図６】
同正面図
　　　【図７】
横送りねじ軸の作用説明図
　　　【図８】
横送りねじ軸の部分展開図
　　　【符号の説明】
１３　後傾式苗載台
１５　苗取出し板
１７　植付ケース
１７ａ　縦横送り駆動部（植付ケース）
１７ｂ　伝動チェン部（植付ケース）
１７ｃ　伝動チェン部（植付ケース）
１７ｄ　伝動チェン部（植付ケース）
１７ｆ　伝動チェン部（植付ケース）
３４　揺動アーム（アーム体）
３５　調節軸（横軸体）
３６　苗取出し量調節レバー
３９　横伝動フレーム
４０ａ　凹溝部
４０ｂ　凹溝部
４０ｃ　凹溝部
４０ｄ　凹溝部
４０ｅ　凹溝部
４８　三角形空間部